(57)【要約】      （修正有）【課題】コンクリート等の構造物の構成体同士の間の隙間に生えた雑草類を効率よく切断できる切断工具を提供する。【解決手段】切断工具１１を、軸部１７と、この軸部１７の後端に一体的に設けたシャンク部９と、軸部１７の先端に一体的に設けた刃部１９と、から構成し、刃部１９を薄肉の幅広状に形成する。刃部１９を、先端に向かって漸次厚さが薄くなり、先端に切断刃２１を有するように構成し、刃部１９の裏面２３を、後端から先端に向かって軸部１７の軸方向に対して表側に傾斜して延びる平面状に形成し、刃部１９の表面２５を、後端から先端に向かって軸部１７の軸方向に対して表側に傾斜して延びる平面状に形成する。【選択図】図２
2019198285.tif 000002
【特許請求の範囲】
【請求項１】
コンクリート製等の構造物の細い隙間に生える雑草類を切断して除去する切断工具であって、
衝撃装置に接続するためのシャンク部と、このシャンク部の先端から一体的に延びる軸部と、この軸部の先端に一体的に設けられた刃部と、を具備し、
前記刃部は、表面及び前記構造物の上面と接触するように平面状に形成された裏面を備え、この表面及び裏面の間隔が先端に向かって漸次小さくなって先端に切断刃を有していて、
前記刃部の前記裏面は、前記軸部の軸線に対して後方側から先端にかけて表側に傾斜して延びている、ことを特徴とする切断工具。
【請求項２】
前記刃部の幅方向両側端の少なくとも先端部にはそれぞれ、切断補助刃が設けられている、ことを特徴とする請求項１記載の切断工具。
【請求項３】
前記刃部の幅方向両側端の少なくとも先端部にはそれぞれ、補助刃部が一体的に形成されていて、
前記補助刃部は、前記刃部の前記裏面から延び、前記構造物の上面と接触するように形成された補助裏面を有し、前記補助刃部の先端及び幅方向外端の少なくとも先端側に切断用刃が設けられるように形成された、前記刃部の前記表面から延びる補助表面を備えている、ことを特徴とする請求項１記載の切断工具。
【請求項４】
前記補助刃部の前記補助裏面は平面状に形成されている、ことを特徴とする請求項３記載の切断工具。
【請求項５】
前記補助刃部の前記補助裏面は、前記軸部の軸線に対して後方側から先端にかけて表側に傾斜して延びている、ことを特徴とする請求項４記載の切断工具。
【請求項６】
衝撃装置と、この衝撃装置に前記シャンク部が取り付けられた請求項１乃至請求項５のいずれかに記載の切断工具と、を備え、前記衝撃装置から前記切断工具の前記刃部に振動衝撃力が加えられるように構成されている、ことを特徴とする切断機。
【発明の詳細な説明】
【技術分野】
【０００１】
本発明は、路肩や中央分離帯などの構造物の隙間、特に道路などに沿って長く生じている隙間に生えた雑草類を除去するのに適した切断工具及びこの切断工具を備えた切断機に関する。
【背景技術】
【０００２】
路肩や中央分離帯などに構成されるコンクリート及びアスファルト構造物は、構造物の構成体同士の間に隙間が空かないようにして施工される。しかしながら、コンクリート及びアスファルトは気温の上昇及び降下に応じて膨張及び収縮を繰り返すので、コンクリート及びアスファルト構造物の構成体同士の間には年月が経過すると隙間が発生する。このような隙間はまた、車両から伝わる振動などによっても発生する。そしてコンクリート及びアスファルト構造物に隙間が発生すると、この隙間に雑草類が生えるようになってしまうので、この雑草類を除去することが必要となる。ところが、路肩や中央分離帯のように長く延びるコンクリート構造物又はコンクリート・アスファルト構造物では隙間も長く延びている場合が多いので、通常の草刈具を用いて隙間の雑草類を短期間に除去するのは困難である。
【０００３】
ところで、一般的な草刈りを効率的に行うことを目的として、電動回転ハンマーからの振動打撃力を切断具に伝達して草刈りを行う草刈機が開発されている（例えば特許文献１参照）。このような草刈機を用いれば、草の根は刃部の振動によって簡単かつ効率的に切断される。
【先行技術文献】
【特許文献】
【０００４】
【特許文献１】特開２０１５−８２９９０号公報
【発明の概要】
【発明が解決しようとする課題】
【０００５】
特許文献１に記載された草刈機は、切断具に振動打撃力を自動的に伝達して草刈りを実行するので、草刈り作業の負担を軽減して草刈り効率を高めるものではあるが、刃部を地面から土の内部に差し込んで雑草類を切断し除去するように切断具が形成されているので、コンクリート及びアスファルト構造物の構成体同士の間の隙間に生えた雑草類を効率よく切断できるようには構成されていない。
【０００６】
そこで本発明は、コンクリート等の構造物の構成体同士の間の隙間に生えた雑草類を効率よく切断できる切断工具及び切断機の提供を目的とする。
【課題を解決するための手段】
【０００７】
この目的を達成するための本発明の切断工具は、コンクリート製等の構造物の細い隙間に生える雑草類を切断して除去する切断工具であって、衝撃装置に接続するためのシャンク部と、このシャンク部の先端から一体的に延びる軸部と、この軸部の先端に一体的に設けられた刃部と、を具備し、前記刃部は、表面及び前記構造物の上面と接触するように形成された平面状の裏面を備え、この表面及び裏面の間隔が先端に向かって漸次小さくなって先端に切断刃を有していて、前記刃部の前記裏面は、前記軸部の軸線に対して後方側又は後端から先端にかけて表側に傾斜して延びているものである。本発明の切断工具のシャンク部を衝撃装置に接続し、この衝撃装置を手又は腕で支えて雑草類の切断除去作業を行う。刃部の裏面をコンクリート製等の構造物の上面に全面的に又はほぼ全面的に接触させて切断除去作業を行うと、軸部及びシャンク部は斜め上方に延びるので、無理な作業姿勢をとる必要がない。そして、例えば、衝撃装置から刃部に振動衝撃力を伝達しながら、刃部の裏面を、隙間を跨ぐようにしてコンクリート製等の構造物の上面に全体的に又はほぼ全体的に接触させた状態で構造物の上面に沿ってスライドさせることにより、構造物の構成体同士の間の隙間に生えた雑草類を切断除去することができる。
【０００８】
刃部の幅方向両側端の少なくとも先端部にはそれぞれ、切断補助刃を形成しておくことが好ましい。このように構成することにより、コンクリート製等の構造物の角部又は段差部に生えている雑草類を簡単に切断できる。あるいは、刃部の幅方向両側端の少なくとも先端部にそれぞれ、補助刃部を一体的に形成しておき、補助刃部を、刃部の裏面から延び、構造物の上面と接触するように形成された、例えば平面状の補助裏面を有し、補助刃部の先端及び幅方向外端の少なくとも先端側に切断用刃が設けられるように形成された、刃部の表面から延びる補助表面を備えるように構成することもできる。補助刃部の補助裏面は、軸部の軸線に対して後方側又は後端から先端にかけて表側に傾斜して延びるように形成できる。軸部の軸線に対する補助刃部の補助裏面の傾斜角度は、例えば刃部の裏面の傾斜角度と等しく、例えば補助刃部の補助裏面は刃部の裏面と共面又は共平面を形成する。
【０００９】
また、この目的を達成するための本発明の切断機は、衝撃装置と、この衝撃装置に前記シャンク部が取り付けられた請求項１乃至請求項５のいずれかに記載の切断工具と、を備え、前記衝撃装置から前記切断工具の前記刃部に振動衝撃力が加えられるように構成されているものである。衝撃装置は電動式、空圧式又は油圧式とすることができる。
【発明の効果】
【００１０】
本発明の切断工具及び切断機を用いれば、コンクリート製等の構造物の細い隙間に生える雑草類を簡単かつきれいに切断して除去することができる。
【図面の簡単な説明】
【００１１】
【図１】本発明に係る切断機の斜視図である。
【図２】本発明に係る切断工具の正面図である。
【図３】切断工具の平面図ある。
【図４】切断機の使用方法を説明する斜視図である。
【図５】切断機の使用方法を説明する正面図である。
【図６】切断機の使用方法を説明する平面図である。
【図７】切断工具の刃部の好ましい構成を示す図である。
【図８】本発明に係る別の切断工具の正面図である。
【図９】別の切断工具の側面図である。
【図１０】別の切断工具の平面図である。
【図１１】別の切断工具の斜視図である。
【図１２】別の切断工具を備えた切断機の使用方法を説明する斜視図である。
【図１３】別の切断工具を備えた切断機の使用方法を説明する正面図である。
【発明を実施するための形態】
【００１２】
以下、本発明を実施するための形態を図面の参照により説明する。
【００１３】
まず、図１を参照して本発明に係る切断機の構成を説明する。
【００１４】
切断機１は、取手部３を有し、内蔵のバッテリー（図示せず）で駆動する振動衝撃電動装置５と、この振動衝撃電動装置５の取付部７にシャンク部９（図２参照）が差し込まれて取り付けられた切断工具１１と、を備え、振動衝撃電動装置５は矢印Ｘ方向の振動衝撃を切断工具１１又は刃部１９に加えるように構成されている。
【００１５】
図２及び図３を参照して切断工具１１の形状を説明する。
【００１６】
切断工具１１は、断面円形の軸部本体１３及びこの軸部本体１３の先端に一体的に形成された、先端に向かって漸次高さが低くなり、先端部に幅広部を設けた扁平部１５を有する軸部１７と、この軸部１７の後端に一体的に設けられた、振動衝撃電動装置５の取付部７に差し込んで接続するためのシャンク部９と、軸部１７の扁平部１５の先端に一体的に設けられた刃部１９と、を備え、刃部１９は薄肉の幅広状に形成され、ほぼ、後側の底辺部（上底部）が先端側の底辺部（下底部）より短い等脚台形状に構成されている。刃部１９は、先端に向かって漸次幅が広くなるように形成され、また、先端に向かって漸次厚さが薄くなり、先端に切断刃２１を有するように構成されていて、刃部１９の裏面２３は、平面状に形成され、後端から先端に向かって軸部１７（軸部本体１３）の軸方向（軸線Ｌ）に対してθ１の角度で表側に傾斜して延び、刃部１９の表面２５は、平面状に形成され、後端から先端に向かって軸部１７（軸部本体１３）の軸方向（軸線Ｌ）に対してθ２の角度で表側に傾斜して延びている。裏面２３の軸線Ｌに対する傾斜角度θ１は２０度乃至３５度であるのが効果的である。傾斜角度θ１が２０度未満であると、刃部１９をコンクリート製等の構造物の上面でスライドさせる際に、刃部１９の裏面２３の後側が持ち上がってしまい、刃部１９の切断刃２１によりコンクリート製等の構造物の上面を大きく傷付けるおそれがあるし、刃部１９が摩耗しやすい。また、裏面２３の軸線Ｌに対する傾斜角度θ１が３５度を超えると、刃部１９をコンクリート製等の構造物の上面でスライドさせる際に、刃部１９の切断刃２１が浮き上がってしまい、雑草類を確実に切断できなくなるおそれがある。表面２５の軸線Ｌに対する傾斜角度θ２は１０度乃至２５度であるのが好ましい。切断工具１１は、振動衝撃電動装置５の取手部３の延びる方向と刃部１９の切断刃２１の延びる方向が垂直又はほぼ垂直となるように振動衝撃電動具５に取り付けられる。
【００１７】
図４及び図５を参照して切断機１の使用方法を説明する。
【００１８】
刃部１９の裏面２３を全面的に路肩構造物のコンクリート製構成体２７及びアスファルト製構成体２９の間の隙間３１を跨ぐようにしてコンクリート製構成体２７及びアスファルト製構成体２９の上面に接触させ、振動衝撃電動装置５を駆動して刃部１９に振動を加えながら刃部１９をスライド前進させて行くと、コンクリート製構成体２７及びアスファルト製構成体２９の上面の高さ位置で雑草類Ｙ１を切断して除去することができる。
【００１９】
なお、コンクリート製構成体２７と路肩構造物のコンクリート製構成体３３との間の隙間３５に生えた雑草類Ｙ２の切断除去は、刃部１９の裏面２３をコンクリート製構成体３３の上面に全面的に接触させ、かつ、例えば図６で示されているように、刃部１９の先端部（切断刃２１）の幅方向外端をコンクリート製構成体２７の内面３７に接触させた状態で、刃部１９をコンクリート製構成体３３の上面に沿ってスライドさせて行う。雑草類Ｙ２を確実に切断できるように、刃部１９の幅方向両側端に、例えば表面を傾斜させて、切断補助刃３９を形成しておくことが効果的である（図７参照）。ここでは、切断補助刃３９は刃部１９の幅方向両側端の全長にわたって形成されている。
【００２０】
次に、図８乃至図１１を参照して切断工具１１の変更例４１の形状を説明する。
【００２１】
切断工具４１は、断面円形の軸部本体１３及びこの軸部本体１３の先端に一体的に形成された、先端に向かって漸次高さが低くなり、先端部に幅広部を設けた扁平部１５を有する軸部１７と、この軸部１７の後端に一体的に設けられた、振動衝撃電動装置５の取付部７に差し込んで接続するためのシャンク部９と、軸部１７の扁平部１５の先端に一体的に設けられた切刃部４３と、を備え、切刃部４３は切刃本体４５（刃部）とこの切刃本体４５の先端部の幅方向両側端にそれぞれ、一体的に突出形成された補助刃部４７とを有している。切刃本体４５は薄肉の幅広状に形成され、ほぼ、後側の底辺部（上底部）が先端側の底辺部（下底部）より短い等脚台形状に構成されている。切刃本体４５は、先端に向かって漸次幅が広くなるように形成され、また、先端に向かって漸次厚さが薄くなり、先端に切断刃４９を有するように構成されていて、切刃本体４５の裏面５１は、後端から先端に向かって軸部１７（軸部本体１３）の軸方向（軸線）に対して２０度乃至３５度の角度で表側に傾斜して延び、切刃本体４５の表面５３は、後端から先端に向かって軸部１７（軸部本体１３）の軸方向（軸線）に対して１０度乃至２５度の角度で表側に傾斜して延びている。
【００２２】
それぞれの補助刃部４７の裏面５５は、切刃本体４５の裏面５１と共面又は共平面を形成するように裏面５１を側方に延長して形成され、後端から先端に向かって裏面５１と同一の角度で表側に傾斜して延びている。また、補助刃部４７の表面５７は、補助刃部４７の先端に補助切断刃５９が設けられ、補助刃部４７の幅方向外端の先端側に補助切断刃６１が形成されるように、切刃本体４５の表面５３から側方に延びている。補助刃部４７の先端の補助切断刃５９は切断刃４９を直線状に延長するように形成され、補助刃部４７の表面５７の幅方向外側は、補助切断刃６１が形成されるように幅方向外側に向かって裏側に傾斜している。
【００２３】
切断工具４１は、振動衝撃電動装置５の取手部３の延びる方向と切断刃４９の延びる方向が垂直となるように振動衝撃電動具５に取り付けられる。
【００２４】
図１２及び図１３を参照して切断工具４１を備えた切断機１の使用方法を説明する。
【００２５】
雑草類Ｙ２の切断除去は、切刃部４３の裏面５１、５５をコンクリート製構成体３３の上面に全面的に接触させ、切刃部４３に設けられている補助刃部４７の外側端の補助切断刃６１をコンクリート製構成体２７の内面３７に接触させた状態で、振動衝撃電動装置５を駆動して切刃部４３に振動を加えながら切刃部４３をコンクリート製構成体３３の上面に沿ってスライドさせて行う。なお、雑草類Ｙ１の切断除去は、切断工具３を有する切断機１と同じようにして行うことができる。
【符号の説明】
【００２６】
１                  切断機
５                  振動衝撃電動装置
９                  シャンク部
１１、４１            切断工具
１３                  軸部
１９                  刃部
２１、４９            切断刃
２３、５５            裏面
２５、５３            表面
４５                  切刃本体（刃部）
Ｙ１                  雑草類
【図１】
2019198285.tif 000003
【図２】
2019198285.tif 000004
【図３】
2019198285.tif 000005
【図４】
2019198285.tif 000006
【図５】
2019198285.tif 000007
【図６】
2019198285.tif 000008
【図７】
2019198285.tif 000009
【図８】
2019198285.tif 000010
【図９】
2019198285.tif 000011
【図１０】
2019198285.tif 000012
【図１１】
2019198285.tif 000013
【図１２】
2019198285.tif 000014
【図１３】
2019198285.tif 000015